(57)【特許請求の範囲】
【請求項１】
球を受け入れない閉状態と球を受け入れやすい開状態とに変換可能な開閉部材が設けられた変動入賞装置を有するパチンコ機において、
前記開閉部材を開状態又は閉状態に制御する制御信号を発生する制御信号発生手段と、
前記変動入賞装置への入賞球を検出して入賞信号を発生する入賞信号発生手段と、
前記制御信号発生手段が前記開閉部材を開状態から閉状態に変換させる制御信号を発生した時より所定時間経過後に、前記入賞信号発生手段が発生する入賞信号により前記変動入賞装置の異常状態を判定する異常判定手段と、を備え、
前記異常判定手段は、前記入賞信号発生手段から入賞信号が発生しても直ちに異常と判定せず、複数の入賞信号を受信するのを待って、異常と判定するようにし、
前記制御信号発生手段は、前記開閉部材を開状態から閉状態に変換させる制御信号を発生した後に開閉部材を微動させることを特徴とするパチンコ機。
【発明の詳細な説明】
【０００１】
【発明の属する技術分野】
この発明は、球を受け入れない閉状態と球を受け入れやすい開状態とに変換可能な開閉部材が設けられた変動入賞装置を有するパチンコ機に関する。
【０００２】
【従来の技術】
従来、パチンコ機には、遊技者にとって不利な閉状態と遊技者にとって有利な開状態とに変換可能な開閉部材を有する変動入賞装置を備えたものが一般的に知られている。
【０００３】
この変動入賞装置は、遊技盤の遊技部に配設された可変表示装置における複数の図柄を用いた変動表示の停止結果が特別の図柄の組み合わせとなったことに関連させて、発生する特別遊技中に開閉部材を閉状態から開状態に変換するように制御されていた。そして、特別遊技に際して変動入賞装置内部の継続入賞口に遊技球が入賞した場合には、その入賞状態を記憶させておき、変動入賞装置の開閉部材が開状態から閉状態へ変換する条件（例えば、２５秒の経過、若しくは１０個入賞）が成立して一旦開閉部材を閉状態に変換させた後に、特別遊技を継続させて、再度開閉部材を開状態となるように制御されていた。そして、特別遊技は、例えば、規定回数の１６回まで繰り返して継続可能となっていた。
【０００５】
【発明が解決しようとする課題】
しかし、閉状態中の開閉部材が不正に開放されて球が変動入賞装置に多数入賞することによりたくさんの賞球が排出されるといった不正行為が問題となっている。
【０００７】
【課題を解決するための手段】
本発明は、球を受け入れない閉状態と球を受け入れやすい開状態とに変換可能な開閉部材が設けられた変動入賞装置を有するパチンコ機において、前記開閉部材を開状態又は閉状態に制御する制御信号を発生する制御信号発生手段と、前記変動入賞装置への入賞球を検出して入賞信号を発生する入賞信号発生手段と、前記制御信号発生手段が前記開閉部材を開状態から閉状態に変換させる制御信号を発生した時より所定時間経過後に、前記入賞信号発生手段が発生する入賞信号により前記変動入賞装置の異常状態を判定する異常判定手段と、を備え、前記異常判定手段は、前記入賞信号発生手段から入賞信号が発生しても直ちに異常と判定せず、複数の入賞信号を受信するのを待って、異常と判定するようにし、前記制御信号発生手段は、前記開閉部材を開状態から閉状態に変換させる制御信号を発生した後に開閉部材を微動させることを特徴とする。
【００１０】
【発明の効果】
本発明では、前記開閉部材を開状態又は閉状態に制御する制御信号を発生する制御信号発生手段と、前記変動入賞装置への入賞球を検出して入賞信号を発生する入賞信号発生手段と、前記制御信号発生手段が前記開閉部材を開状態から閉状態に変換させる制御信号を発生した時より所定時間経過後に、前記入賞信号発生手段が発生する入賞信号により前記変動入賞装置の異常状態を判定する異常判定手段と、を備え、前記異常判定手段は、前記入賞信号発生手段から入賞信号が発生しても直ちに異常と判定せず、複数の入賞信号を受信するのを待って、異常と判定するようにし、前記制御信号発生手段は、前記開閉部材を開状態から閉状態に変換させる制御信号を発生した後に開閉部材を微動させるので、異常を速やかに発見でき、不正行為に素早く対応することが可能になり、これにより遊技機の信頼性が大幅に向上する。
【００１４】
【発明の実施の形態】
以下、本発明の実施の形態を図面に基づいて説明する。
【００１５】
図１において、パチンコ機の遊技盤１の表面には、ガイドレ−ル２で囲われた遊技部３のほぼ中央に複数の図柄を表示可能な可変表示装置（特別図柄表示器）４が、その下方に始動口６を設けた変動入賞装置５が配設される。
【００１６】
可変表示装置４の左右には始動口７ａ，７ｂが配設され、各始動口６，７ａ，７ｂには入賞球を検出する始動スイッチ８，９ａ，９ｂが設置される。
【００１７】
１１は可変表示装置４の上方に設けられる天入賞口（一般入賞口）、１２ａ，１２ｂは遊技部３の左右下部に設けられる袖入賞口（一般入賞口）、１３ａ〜１３ｆは風車等の転動誘導部材、１４はアウト口である。１５ａ，１５ｂは装飾ランプ、１６ａ，１６ｂは大当たりならびに故障表示ランプで、袖入賞口１２ａ，１２ｂ、風車１３ａ，１３ｂにも装飾ランプが設けられる。
【００１８】
図示しないが遊技盤１の下方には、前面枠にパチンコ球の供給皿と受け皿と打球発射装置が設けられ、供給皿から打球発射装置に入り発射された打球はガイドレ−ル２に沿って遊技部３内に導かれる。
【００１９】
可変表示装置４は、遊技盤１に取付けられる保護枠２０内に液晶表示器２１が配置される。
【００２０】
液晶表示器２１は、前記始動口６，７ａ，７ｂに打球が入賞すると始動つまり複数の図柄の変換表示が開始され、始動後所定時間経過するとその変換表示が順に停止される。この停止時の図柄の組み合わせが特別の組み合わせとなると、大当たりの遊技（後述する）が発生する。
【００２１】
保護枠２０の上部には、数多くの装飾ＬＥＤ２２ならびに前記始動口６，７ａ，７ｂの入賞球のうちまだ液晶表示器２１の図柄を変換動作してない分の未処理球数を表示するための記憶表示器（ＬＥＤ）２３が配置される。記憶表示器２３には未処理球数が最大４つまで点灯表示される。
【００２２】
なお、図柄表示だけでなく、液晶表示器２１には遊技状況に応じて各キャラクタおよびメッセージ等が表示される。
【００２３】
変動入賞装置５は、図２〜図１９のように遊技盤１に取付けられる基板３０の中央上部に前記始動口６が設けられ、始動口６の直下に長方形の大入賞口３１（開閉扉３２とで変動入賞口を構成）が形成され、大入賞口３１に開閉扉３２が配設される。
【００２４】
始動口６は、基板３０に飾りカバー３３ならびに通常の入賞口を間に球を受け入れない閉状態（遊技者に不利な第１の状態）と、球を受け入れやすい左右に傾いた開状態（遊技者に有利な第２の状態）とに変換可能な開閉翼３４ａ，３４ｂが設けられ、飾りカバー３３の下部に球受け３５が形成される。
【００２５】
開閉扉３２は、基板３０に基部両端のピン３６を介して回動自由に支持され、球を受け入れない閉状態（遊技者に不利な第１の状態）と、球を受け入れやすい前倒した開状態（遊技者に有利な第２の状態）とに変換可能に形成される。開閉扉３２の前面両側には、開角度を定めるストッパ３７が形成され、ストッパ３７にウェイト３８が設けられる。
【００２６】
大入賞口３１の後方には凹室３９が形成され、図９のように凹室３９の中央底部に継続入賞口４０が、その左右に一般入賞口４１ａ，４１ｂが設けられる。
【００２７】
凹室３９内には、継続入賞口４０の直上側に左右に分ける凸面を有する所定幅の継続阻止部材４２が、図１０、図１１のようにピン４３を介し前後方向に揺動自由に吊設され、その前出位置にあるときは大入賞口３１内に入った球の継続入賞口４０への入賞が阻止される。
【００２８】
開閉扉３２の内側の球受け面４４には、開状態にあるときに球受け面４４に乗った球が中央につまり継続入賞口４０に向かうように誘導部４５が設けられる。
【００２９】
誘導部４５は、図９のように球受け面４４の両側に形成された所定高さ（パチンコ球の半分位）の鋭角状の縁壁４６、縁壁４６から中央奥部の落とし口に向かって下るこれより低い囲い壁４７ならびに球受け面４４の中央に落とし口の前方に隆起する小さな三角突起４８からなる。
【００３０】
即ち、開閉扉３２が開く遊技（大当たり遊技）時に、大入賞口３１に向かい球受け面４４に乗った球は、縁壁４６によって外部にこぼれ落ちることはない。縁壁４６はそれほど高くせずにすむため、側方からも球は入るようになる。
【００３１】
また、球受け面４４に乗った球は、一部跳ね上げた球が囲い壁４７を越えて大入賞口３１内に入るものの、囲い壁４７ならびに中央の三角突起４８に案内されて球受け面４４上をしばし遊動しつつ中央奥部の落とし口に向かう。このため、球は大入賞口３１内の継続入賞口４０に入賞（前記継続阻止部材４２が後退位置にあるとき）するようになり、遊技者が十分に視認できる。
【００３２】
特に、この場合囲い壁４７を設けたため、後続球が続いたとき等は球受け面４４上に多数の球を見ることができ、これらの入賞を楽しめるのである。
【００３３】
なお、誘導部４５は図２０、図２１のように形成しても良い。図２０の誘導部１３０は、球受け面１３１の両側に凹曲壁１３２を形成して球を中央奥部に向かわせるもので、図２１の誘導部１３３は、球受け面１３４に形成した中央奥部に向かう溝１３５にて球を誘導させる。
【００３４】
基板３０の左右には、大入賞口３１から所定距離を置いて各一対の壁４９にて通過口５０ａ，５０ｂが設けられ、通過口５０ａ，５０ｂ内に通過球を検出する通過スイッチ５１ａ，５１ｂが設置される。通過口５０ａ，５０ｂの外側に装飾ランプ５２が配設され、その回りから通過口５０ａ，５０ｂの下部に装飾ランプ５２を覆うと共に、通過球を内側に向けて流下させるレンズカバー５３ａ，５３ｂが取付けられる。
【００３５】
基板３０の下部前方には、左右の通過口５０ａ，５０ｂならびにレンズカバー５３ａ，５３ｂにかけて飾りカバー５４が取付けられる。飾りカバー５４は、裏方を透視可能に透明なプレートに装飾が施され、通過口５０ａ，５０ｂの前壁を兼ねている。
【００３６】
飾りカバー５４の中央は楕円形にくりぬかれ、その開口に基板３０側から案内路を兼ねる表示カバー５５が装着され、表示カバー５５内の中央に可変表示器（普通図柄表示器）５６が、可変表示器５６の左右に記憶表示器（ＬＥＤ）５７が配置される。表示カバー５５の取付け部５８は基板３０に設けた窓枠部５９に嵌め込まれ、固定される。
【００３７】
可変表示器５６は、マトリクス型のＬＥＤからなり、前記通過口５０ａ，５０ｂに通過球があると、０〜９の数字（図柄）が変換表示されると共に、所定時間の経過後に変換が停止される。この停止時の表示が所定の図柄のときに後述するソレノイド６３にて始動口６の開閉翼３４ａ，３４ｂが開駆動される。
【００３８】
記憶表示器５７には、通過口５０ａ，５０ｂの通過球のうちまだ図柄を変換動作してない分の未処理球数が最大４つまで点灯表示される。
【００３９】
前記基板３０の裏側には、中央に前記凹室３９を画成する枠部材６０ならびに基板３０下部から左右に配線等を囲う保護カバー６１が取付けられ、枠部材６０の後部に組付枠６２を介し前記開閉翼３４ａ，３４ｂ、開閉扉３２および継続阻止部材４２の各駆動用のソレノイド６３，６４，６５が配設される。
【００４０】
枠部材６０は、凹室３９を形成する天井壁上部に前記始動口６の球受け３５に続く案内樋６６が設けられ、後壁６７から延ばした隔板６８に始動口６の開閉翼３４ａ，３４ｂに取付けられた駆動軸６９の軸孔７０が形成される。
【００４１】
案内樋６６は隔板６８の片側に向かって傾斜され、出口は隔板６８の中央部を避けて開口される。
【００４２】
開閉翼３４ａ，３４ｂの駆動軸６９は、基板３０の軸孔７１から隔板６８の軸孔７０に挿通、支持され、その軸端にレバー７２が取付けられ、レバー７２にピン７３が突設される。なお、基板３０の軸孔７１回りに開閉翼３４ａ，３４ｂに挿着したピン７４を介してその作動範囲を規制する弧状孔７５を設けている。
【００４３】
枠部材６０の後壁６７には、前記継続阻止部材４２の後方に小孔７６ならびに継続阻止部材４２の基部に延設された柄７７の逃げ口が形成され、柄７７には隔板６８との間に継続阻止部材４２を後退方向に付勢するスプリング７８が取付けられる。
【００４４】
枠部材６０の一方の側壁に沿って後壁６８の隅部には、前記開閉扉３２の基部に突設されたレバー７９の動作口８０が形成され、動作口８０内のレバー７９を押し下げると、開閉扉３２は閉じられる。
【００４５】
レバー７９は、図１２〜図１４のように開閉扉３２のストッパ３７の反対側に開閉扉３２の内方にいくらか傾いて形成され、レバー７９基端と開閉扉３２の球受け面４４の縁壁４６との間には縁壁４６を利用して段部８１が形成される。
【００４６】
枠部材６０の下部には、図１５、図１６のように前記継続入賞口４０、一般入賞口４１ａ，４１ｂを画成する４つの境界壁８２が設けられ、左右の一般入賞口４１ａ，４１ｂの境界壁８２の上部側に一般入賞スイッチ８３ａ，８３ｂを挾装するガイド受け８４が、中央の継続入賞口４０の境界壁８２の下部側に継続入賞スイッチ８５を挾装するガイド受け８６が設けられる。
【００４７】
各ガイド受け８４，８６の後壁は切欠き開口され、各入賞スイッチ８３ａ，８３ｂ，８５は所定の配線基板８７に一体に組付けられた状態で各開口８８，８９からガイド受け８４，８６に挿入、支持される。
【００４８】
この場合、各入賞スイッチ８３ａ，８３ｂ，８５は基部の端子が配線基板８７の孔に差し込まれ、半田付けによって固定される。なお、配線基板８７には入賞スイッチ８３ａ，８３ｂの上方に継続表示ランプ９０が配置される。
【００４９】
即ち、一般入賞スイッチ８３ａ，８３ｂに対し中央の継続入賞スイッチ８５の位置をずらしたため、各開口８８，８９が隣接することがなく、内側の境界壁８２の長さが長くなり、ガイド受け８４，８６等、各部の強度が高まる。また、各入賞スイッチ８３ａ，８３ｂ，８５を１つの配線基板８７に固定した状態で、ガイド受け８４，８６に挿入し、組付けるので、位置決めが正確であり、作業能率が良い。
【００５０】
このため、各入賞スイッチ８３ａ，８３ｂ，８５を安定、確実に支持でき、組付性ならびにスイッチの信頼性が向上する。
【００５１】
また、継続入賞スイッチ８５を下方にずらすことで、継続入賞口４０の上部にスペースが確保され、したがって継続入賞口４０の入口側に球の動きに変化を与える構造を付加する等の工夫をしたり、あるいは前述の継続阻止部材４２等、入賞制御を行う機構を設けたりすることが可能になる。
【００５２】
これにより、設計自由度が増し、遊技の興趣を高めることができる
また、継続入賞スイッチ８５を下方にずらすことにより、そのガイド受け８６を継続入賞口４０の入口部に設けずにすみ、このため入口部が拡がって継続入賞口４０に入賞しやすくすることができる。なお、下方にずらせば、球詰まりも防止できる。
【００５３】
配線基板８７を間に枠部材６０の後部に配置される組付枠６２には、中央に鉛直下向きに前記開閉翼３４ａ，３４ｂの駆動用のソレノイド６３が、その直下に水平前向きに前記継続阻止部材４２の駆動用のソレノイド６５が、ならびに組付枠６２の側部に鉛直下向きに前記開閉扉３２の駆動用のソレノイド６４が固定される。
【００５４】
開閉翼３４ａ，３４ｂ用のソレノイド６３には、ロッド９１の下端の鍔部９２に途中から上方に折り曲がるプレート状の操作アーム９３が基端の取付溝９４を介して図１７、図１８のように嵌着され、操作アーム９３の上端両側部に開閉翼３４ａ，３４ｂのレバー７２のピン７３に係合する溝９５が設けられる。
【００５５】
継続阻止部材４２用のソレノイド６５には、ロッド９６の先端の鍔部９７に前方に突出する操作バー９８が基端の取付溝９９を介して図１０、図１１のように嵌着される。
【００５６】
開閉扉３２用のソレノイド６４には、ロッド１００の下端に途中から上方に折り曲がるバー状の操作アーム１０１が基端をボルト止めされ、操作アーム１０１の上端に開閉扉３２のレバー７９に係合するフック１０２が形成される。
【００５７】
フック１０２は、図１２〜図１４のように開閉扉３２のレバー７９に先端部が上方から当接すると共に、開閉扉３２が閉位置にあるときに、レバー７９基端の段部８１に先端上部が当接する所定長さに形成される。
【００５８】
操作アーム９３，１０１、操作バー９８を取付けた各ソレノイド６３，６４，６５を組付枠６２に組込み、組付枠６２を後方から枠部材６０に合わせれば、操作アーム９３の両溝９５に開閉翼３４ａ，３４ｂのレバー７２のピン７３が嵌まり、操作バー９８が枠部材６０の後壁６７の小孔７６に進入して継続阻止部材４２の裏面に臨み、操作アーム１０１が枠部材６０の隅部の動作口８０に入ってそのフック１０２が開閉扉３２のレバー７９に係合する。
【００５９】
この際、操作アーム９３，１０１等は初期位置に、開閉翼３４ａ，３４ｂ、開閉扉３２は閉じた状態で組付ける。
【００６０】
なお、組付枠６２は金属板にて形成しても良い。この場合、ソレノイド６３〜６５の放熱性が向上する。
【００６１】
このように各ソレノイド６３，６４，６５を１つの組付枠に組込むので、取扱いが容易である。
【００６２】
また、各ソレノイド６３，６４，６５に操作アーム９３，１０１、操作バー９８を取付け、組付枠６２を枠部材６０に合わせることで、操作アーム９３は両溝９５にピン７３が嵌まって開閉翼３４ａ，３４ｂのレバー７２に、操作バー９８は枠部材６０の小孔７６から継続阻止部材４２に、操作アーム１０１は枠部材６０の動作口８０に入ってフック１０２が開閉扉３２のレバー７９に、それぞれ係合する構造としたので、それほど組付精度が良くなくても、各機構の連結を確実に速やかに行え、組付けが極めて簡単になる。
【００６３】
これは基板３０および枠部材６０側に開閉翼３４ａ，３４ｂおよびレバー７２、継続阻止部材４２、開閉扉３２（レバー付き）を取付ける一方、駆動側の各一つの操作アーム９３，１０１、操作バー９８をそれぞれソレノイド６３，６４，６５に取付けることで可能であって、同時に各部の構造が簡略化され、部品点数も削減できる。
【００６４】
なお、操作アーム９３，１０１、操作バー９８は、それぞれソレノイド６３，６４，６５のリターンスプリング１０３，１０４，１０５が組付位置（初期位置）に付勢しているため、組付時に動かす必要はなく、動くこともない。
【００６５】
開閉翼３４ａ，３４ｂ用のソレノイド６３をオンすると、リターンスプリング１０３に抗してロッド９１とともに操作アーム９３が上方に動き、操作アーム９３に係合するピン７３を介してレバー７２が上方に揺動し、図１８のように開閉翼３４ａ，３４ｂが開く。ソレノイド６３をオフすると、スプリング力、ロッド９１の自重によって操作アーム９３が閉位置に戻り、図１７のように開閉翼３４ａ，３４ｂが閉じる。
【００６６】
継続阻止部材４２用のソレノイド６５をオンすると、ロッド９６がリターンスプリング１０５に抗して前進し、先端の操作バー９８が継続阻止部材４２を図１１のように所定の位置まで押し出す。ソレノイド６５をオフすると、スプリング力によってロッド９６、操作バー９８が後退し、継続阻止部材４２がスプリング７８によって図１０のように後退位置に戻る。
【００６７】
開閉扉３２用のソレノイド６４をオンすると、リターンスプリング１０４に抗してロッド１００とともに操作アーム１０１が上方に動き、図１３のように開閉扉３２が開く。ソレノイド６４をオフすると、スプリング力、ロッド１００の自重によって操作アーム１０１が下降し、フック１０２がレバー７９を押し下げることで、図１２のように開閉扉３２が閉じる。
【００６８】
ソレノイド６４をオンした場合、開閉扉３２はストッパ３７のウェイト３８によって開くが、開閉扉３２が閉位置にあるときに図１４のように操作アーム１０１のフック１０２の先端上部が開閉扉３２のレバー７９基端の段部８１に当接しており、このため初動時に操作アーム１０１の上動に伴ってフック１０２が開閉扉３２のレバー７９を跳ね上げることから、開閉扉３２はその跳ね上げ力にて閉位置からスムーズに開動する。
【００６９】
したがって、組付時の歪みや盤の反り等が影響して開閉扉３２の動きが良くなかったり、たばこのヤニや油等によって基板３０の開口縁に開閉扉３２がくっついたりした場合でも、ソレノイド６４のオンとともに開閉扉３２を確実に応答良く開くことができる。また、ストッパ３７のウェイト３８が取れたりした場合でも、開閉扉３２を支障なく開くことができ、これにより高い信頼性が確保される。
【００７０】
この場合、動範囲の小さいレバー７９基端に、操作アーム１０１が係合する段部８１を設けたため、小さな段部８１ですみ、構造が簡素化する。
【００７１】
なお、組付枠６２には前記始動口６の案内樋６６出口に続く導出樋１０６が形成される。案内樋６６を枠部材６０に、これに続く導出樋１０６を組付枠６２に分割形成したため、それぞれ構造が簡素化すると共に、開閉翼３４ａ，３４ｂのレバー７２等の組付けが容易になる。また、分割によって下流側の入賞樋（図示しない）への経路を自由に形成することができる。
【００７２】
なお、始動スイッチ８は導出樋１０６に設置される。
【００７３】
配線等の保護カバー６１には、左右に基板３０から間隙を置いて前記通過スイッチ５１ａ，５１ｂ等の端部を囲う袖部１０７が形成され、袖部１０７の内方に配線基板１０８を介して大当たり装飾ランプ１０９が配設される。
【００７４】
保護カバー６１の中央には、前記凹室３９底部から基板３０に面して基板裏面を覆い、かつ継続入賞口４０、一般入賞口４１ａ，４１ｂの下方に入賞球の案内路１１０を形成するカバー流路部１１１が設けられる。カバー流路部１１１の上部には、一般入賞スイッチ８３ａ，８３ｂ、継続入賞スイッチ８５の各先端の受け１１２が形成される。
【００７５】
カバー流路部１１１の内側下部には、図１９のように基板３０との間に配線通路１１３を画成するように凹部１１４が形成される。凹部１１４の裏面つまり案内路１１０側に迫り出した凸部１１５は、その段部が配線通路１１３側に同じく傾斜面１１６に形成され、各入賞口４０，４１ａ，４１ｂから流下した球を段部傾斜面１１６が受けることで勢いを減じさせる。
【００７６】
この場合、図にあるように一般入賞口４１ａ，４１ｂあるいは各入賞口４０，４１ａ，４１ｂの段部傾斜面１１６の位置を異ならせれば、流下する球の流れが一律にならず、したがって案内路１１０から下流側の入賞樋に流入する際に球詰まりを起こすようなことはない。
【００７７】
保護カバー６１は透明部材にて形成され、カバー流路部１１１の配線通路１１３には前記表示カバー５５内の可変表示器５６、記憶表示器５７の配線１１７ならびに袖部１０７の大当たり装飾ランプ１０９の配線１１８等が収納される。
【００７８】
このように保護カバー６１によって配線通路１１３を画成し、基板３０との間に配線を囲うため、線数が多くても配線は容易で、組付時に配線がばらけたり、邪魔になることがない。また、搬送時等に配線に傷を付ける心配もない。
【００７９】
また、配線通路１１３の裏面の案内路１１０を通る球、賞球タンク等からこぼれた球あるいは組付時等のネジが入り込むことがなく、配線を確実に保護でき、ハンダ部がショートする心配もない。
【００８０】
また、保護カバー６１の裏表に配線通路１１３、案内路１１０を一体形成したため、コンパクトな構造となり、組付けが容易になる。
【００８１】
また、保護カバー６１を透明部材で形成し、裏面側を案内路１１０としたため、図４のように内部の組付状態ならびに配線状態を確認することができ、組付性がより向上し、組付検査等、的確に行える。
【００８２】
なお、前記組付枠６２の後部には、後部カバー１１９を介して各ソレノイド６３〜６５、各入賞スイッチ８３ａ，８３ｂ，８５の中継用の配線基板１２０が取付けられる。したがって、組付枠６２部分の配線も、可変表示器５６等の配線に同じくコンパクトにまとめられる。
【００８３】
図２２は制御系のブロック構成を示すもので、制御装置１５０はＣＰＵ１５１、ＲＯＭ１５２、ＲＡＭ１５３、バッファゲート１５４、出力ポート１５５等からなるマイクロコンピュータにて構成され、ＲＯＭ１５２に定めたプログラムデータおよび始動口６，７ａ，７ｂの始動スイッチ８，９ａ，９ｂ、通過口５０ａ，５０ｂの通過スイッチ５１ａ，５１ｂ、変動入賞装置５内の継続入賞スイッチ８５、一般入賞スイッチ８３ａ，８３ｂ等の検出信号に基づいて、可変表示装置（特別図柄表示器）４、記憶表示器２３、変動入賞装置５の大入賞口３１の開閉扉３２（ソレノイド）、継続阻止部材４２（ソレノイド）、変動入賞装置５下部の可変表示器（普通図柄表示器）５６、記憶表示器５７、始動口６の開閉翼３４ａ，３４ｂ（ソレノイド）、各表示ランプ、装飾ランプ等を制御する。
【００８４】
また、遊技店の管理装置１６０に必要な情報を送る。なお、各装飾ランプは、便宜上遊技態様表示器として一括してある。
【００８５】
１５６は制御周期を定める分周回路、１５７は電源回路、１５８は各種音声を発生するためのサウンドジェネレータ、１５９はスピーカである。
【００８６】
次に、制御内容を図２３〜図３２のフローチャートに基づいて説明する。フローチャート中、可変表示装置４を特図、可変表示器５６を普図、始動口６の開閉翼３４ａ，３４ｂを普電と呼ぶ。
【００８７】
図２３はメインルーチンを示し、メインルーチンがスタートすると、ＲＡＭ等の初期設定後、各処理を実行する（１．０１〜１．０７）。
【００８８】
図２４、図２５は割込ルーチンを示し、特図の図柄変動時間、普電の開放時間、大入賞口３１の開放時間等のタイマ更新、各スイッチからの入力信号の判定を行う（２．０１〜２．０３）。入力判定はノイズ等による誤動作を防止するためのもので、同一スイッチから連続して２回、同レベルの信号を読み込んだときに正規の信号と判定する。
【００８９】
普図始動用の通過スイッチ５１ａ，５１ｂがオンすれば、これを最大４つまで記憶する（２．０４〜２．０６）。
【００９０】
特図始動用の始動スイッチ８，９ａ，９ｂがオンすれば、これを最大４つまで記憶すると共に、この場合始動スイッチ８のオン回数から普電入賞数（始動口６の入賞数）をカウントする（２．０７〜２．１０）。
【００９１】
一方、大入賞口３１の開放中に、継続入賞スイッチ８５、一般入賞スイッチ８３ａ，８３ｂのオン（入賞信号）を基に大入賞口入賞数をカウントする（２．１１〜２．１５）。
【００９２】
大入賞口３１が閉じると大入賞口入賞数をクリアするが、この開放中にないときに継続入賞スイッチ８５あるいは一般入賞スイッチ８３ａ，８３ｂがオンした場合、そのオン回数を基に異常入賞数をカウントする（２．１１，２．１９〜２．２３）。
【００９３】
また、遊技態様に対応する各種音声の出力処理、各種ランプの表示処理を行う（２．２４，２．２５）。
【００９４】
普図の始動記憶があれば、図２６の普図・普電処理にて、普図ならびに普電の動作中にないときに、普図図柄変動を開始し、所定時間（例えば５秒）経過すると、普図図柄変動を停止し、その停止図柄が当たりかどうか判定する（３．０１〜３．０８）。
【００９５】
当たりのときは（例えば３または７）、普電を開放し、所定時間（例えば３秒）経過するともしくは球が所定数（例えば３個）始動口６に入賞すると、普電を閉じる。この開放毎に普電開放回数をカウントする（３．１０〜３．１５）。
【００９６】
これらの処理は普図の始動記憶がある毎に繰り返す。
【００９７】
特図の始動記憶があれば、図２７の特図・大入賞口処理にて、特図の動作中、大当たりの遊技中にないときに、特図図柄変動を開始し、所定時間（例えば５秒）経過すると、特図図柄変動を停止し、その停止図柄の組み合わせが大当たりかどうか判定する（４．０１〜４．０８）。
【００９８】
ハズレのときは、特図の始動記憶を基にこの処理を繰り返す。
【００９９】
大当たりのときは（例えば３・３・３または７・７・７）、大当たりの特別遊技を発生し、大入賞口３１を開放する（４．１０）。
【０１００】
大入賞口３１が開放し、入賞球にて継続入賞スイッチ８５がオンすると、割込処理にて特別遊技の継続権利を可として記憶し、継続阻止部材４２を前出位置に動かす（図２４の２．１６〜２．１８）。
【０１０１】
大入賞口３１を開放してから、所定時間（例えば２５秒）経過するともしくは大入賞口入賞数が所定数（例えば１０個）に達すると、大入賞口３１を閉じ、継続阻止部材４２を後退して１回の特別遊技を終了する（４．１１〜４．１４）。
【０１０２】
継続入賞スイッチ８５のオンによって継続権利の記憶があれば、再び大入賞口３１を開放し、前述の処理にて同じく特別遊技を繰り返す（４．１６，４．１７→４．１１〜４．１４）。
【０１０３】
大当たりの特別遊技は、継続入賞スイッチ８５のオンを条件に規定回数（例えば１６回）行う。なお、継続入賞スイッチ８５がオンしないときは、その回の遊技終了時に大当たり終了となる（４．１８）。
【０１０４】
ここで、大入賞口３１の開、閉、継続阻止部材４２の前進、後退の各制御は、図３１あるいは図３２のルーチンにて行う。
【０１０５】
大入賞口３１の開時ならびに継続阻止部材４２の前進時に、該当ソレノイド６４，６５をいったんオンした後、図３１の場合には一定時間、図３２の場合には一定回数、ソレノイド６４，６５のオン、オフを繰り返し、この後オン状態を維持する。
【０１０６】
大入賞口３１の閉時ならびに継続阻止部材４２の後退時には、該当ソレノイド６４，６５をいったんオフした後、図３１の場合には一定時間、図３２の場合には一定回数、ソレノイド６４，６５のオン、オフを繰り返し、この後オフ状態を維持する。
【０１０７】
図３３、図３４にソレノイド６４，６５の制御信号の例を示すが、このソレノイド６４，６５の初期オン時間は、大入賞口３１の開閉扉３２がほぼ開放する時間、継続阻止部材４２がほぼ前出位置に動く時間に、そのオン、オフ時間は、大入賞口３１の開閉扉３２、継続阻止部材４２がわずかに動く程度（例えば各１２ｍ秒）に設定する。
【０１０８】
ソレノイド６４，６５の初期オフ時間は、大入賞口３１の開閉扉３２がほぼ閉じる時間、継続阻止部材４２がほぼ後退する時間に、同じくオン、オフ時間は、大入賞口３１の開閉扉３２、継続阻止部材４２がわずかに動く程度（例えば各１２ｍ秒）に設定する。
【０１０９】
また、オン、オフは少なくとも１回以上行うように設定する。
【０１１０】
即ち、大入賞口３１を閉じるとき、ソレノイド６４のオフタイミングにより、大入賞口３１に入りかけた球が、図３５、図３６のように開閉扉３２と基板３０の間に挾まれることがあるが、このソレノイド６４のオフ後、ソレノイド６４を一時的にオン、オフして開閉扉３２を開閉微動するため、球は大入賞口３１内にスムーズに流入する。
【０１１１】
大入賞口３１を開放するときに、開閉扉３２の表面を通過する球が、ソレノイド６４のオンタイミングにより、図３７のように開閉扉３２と前面側のガラス１４０の間に挾まれることがあり、この際はソレノイド６４のオン後、ソレノイド６４を一時的にオン、オフして開閉扉３２を開閉微動することで、球は落ち、開閉扉３２はスムーズに開く。
【０１１２】
また、継続阻止部材４２を前進するとき、ソレノイド６５のオンタイミングにより、図３８のように入賞球が継続阻止部材４２と基板３０側の間に挾まれることがあっても、同じくソレノイド６５のオン後、ソレノイド６５を一時的にオン、オフして継続阻止部材４２を前後微動するので、入賞球は継続入賞口４０に速やかに流入する。
【０１１３】
継続阻止部材４２を後退するときに、入賞球が挾まれても、同じくソレノイド６５を一時的にオン、オフして継続阻止部材４２を前後微動することで、入賞球は速やかに流入する。
【０１１４】
このように可動部材の玉がみを確実に防止でき、かつこれをソレノイドの制御によって行うため、各部の構造が複雑化することはなく、玉がみ防止を簡単に行える。
【０１１５】
また、大入賞口３１の開放ならびに継続入賞に支障を生じたりすると、影響は大きいが、その開放、入賞をスムーズに行えるため、高い信頼性を確保することができる。
【０１１６】
図２８の普電異常判定に進むと、普電開放回数（図２６の普図・普電処理）を読み込み、普電開放回数が所定数（例えば１０回）に達すると、普電開放回数をクリアし、その時点の普電入賞数（図２４、図２５の割込処理）を読み込んで設定範囲内かどうか比較する（５．０１〜５．０３）。
【０１１７】
設定範囲外の場合、普電の故障、不正作動等の異常判定を行う（５．０４）。
【０１１８】
遊技中に始動口６には、通常普電が１回開放する毎に３個の入賞、閉じているときに１個の入賞があるものとして、普電が所定回数開放する間の入賞数の許容範囲（例えば−３０〜＋２０％）を定め、これを基に普電の開放回数が１０回の場合は、その入賞数４０個の許容範囲２８〜４８個を普電入賞数の設定範囲に定める。
【０１１９】
即ち、普電が所定回数開放する間の始動口６の入賞数を基準に異常かどうかを判断し、この場合入賞数が設定範囲に満たないときは、故障等により普電が開かず閉じたままの状態、入賞数が設定範囲を越えたときは、普電が故障あるいは不正作動等により開いたままの状態と判定する。
【０１２０】
このように異常判定を行うが、始動口６の入賞基準は、普電の閉じている期間や始動口６回りの釘調整等によって異なり、このため前述の入賞基準を基に設定範囲を定める代わりに、例えば普電が一定回数開放する毎の入賞数を学習し、その学習値を基に設定範囲を定めるようにしても良い。
【０１２１】
また、通過スイッチ５１ａ，５１ｂが所定回数オンする間の普電入賞数をカウントし、これを基に異常を判定することも可能である。この場合、通過スイッチ５１ａ，５１ｂのオンにより、普電は確率的に開くが、そのオン回数あるいは普電の開く確率に対して普電入賞数が多すぎれば、異常を判定できる。
【０１２２】
そして、異常を判定すると、図３０の異常処理を行う。なお、処理後、普電入賞数をクリアする（５．０５）。
【０１２３】
図２９の大入賞口異常判定では、大入賞口３１の閉信号の入力時から（大入賞口３１の閉処理開始から）、所定時間（例えば２秒）経過すると、異常入賞数（図２４、図２５の割込処理）を読み込み、異常入賞数が所定数（例えば３個）になった場合、異常を判定する（６．０１〜６．０４）。
【０１２４】
所定時間の経過前ならびに大入賞口３１の開放中は、異常入賞数をクリアする（６．０５）。
【０１２５】
即ち、大入賞口３１が閉状態にあるべきときに、ならびに開放状態の大入賞口３１を閉じた際は開放時の大入賞口３１の入賞球が確実に継続入賞スイッチ８５、一般入賞スイッチ８３ａ，８３ｂを通過した後に、異常入賞数が所定数あれば、大入賞口３１が故障あるいは不正作動等によって開いたままの状態と判定する。
【０１２６】
この場合、異常入賞数が３つなくとも、例えば大入賞口３１の閉時点から所定時間経過後に、異常入賞数が１つでもあれば、異常と判定するようにしても良い。また、大入賞口３１の閉時点から所定時間経過せずとも、一定以上の異常入賞数があれば、異常と判定しても良い。
【０１２７】
そして、異常を判定すると、図３０の異常処理を行う。
【０１２８】
図３０の異常処理では、普電、大入賞口３１の異常を判定すると、打球発射装置の打球発射の禁止、遊技の中断、異常報知の各処理を行う（７．０１〜７．０４）。
【０１２９】
打球発射禁止処理は、発射モータに停止信号を、もしくは遊技店の管理装置１６０に発射禁止信号を送る。
【０１３０】
遊技中断処理は、普電、大入賞口３１の状態にかかわらず、これらの閉信号を送り、閉じるように制御する。
【０１３１】
異常報知処理は、故障表示装置１６ａ，１６ｂならびにスピーカ１５９を作動して、遊技者等に異常を報知すると共に、管理装置１６０に異常情報を送って、遊技店側に異常の発生を報知する。
【０１３２】
そして、普電や大入賞口３１の故障が解消、あるいはこれらの不正作動が取り除かれ、正常状態に復帰すると、打球発射を許可し、遊技処理を再開し、異常報知を解除する（７．０５〜７．０８）。
【０１３３】
なお、この際異常入賞数をクリアし、異常判定を解除する（７．０９，７．１０）。
【０１３４】
このように、遊技中に通過口５０ａ，５０ｂの通過球を基に可変表示器５６の図柄変換が、始動口６，７ａ，７ｂの入賞を基に可変表示装置４の図柄変換が開始され、可変表示器５６の停止時の図柄が当たりのときは始動口６の開閉翼３４ａ，３４ｂが短時間開かれ、可変表示装置４の停止時の図柄が大当たりのときは大当たりの特別遊技が行われる。
【０１３５】
即ち、通過口５０ａ，５０ｂを球が通過し、可変表示器５６の図柄が当たりになれば、始動口６の開閉翼３４ａ，３４ｂが開いて入賞が増え、かつ可変表示装置４の作動によって大当たりが発生するかどうかのチャンスも増える。このため、通過口５０ａ，５０ｂを球が通過すると、二重の遊技態様を楽しめる。
【０１３６】
一方、可変表示装置４の図柄を基に大当たりが発生すれば、変動入賞装置５の大入賞口３１の開閉扉３２が開かれ、球が次々と開閉扉３２から大入賞口３１に入賞することで、多量の獲得球が得られる。そして、入賞球が所定数になるともしくは所定時間経過すると、１回の特別遊技が終了して開閉扉３２が閉じられるが、この期間中に大入賞口３１に入った球が中央の継続入賞口４０に入賞すると、次回の特別遊技の継続が可となる。
【０１３７】
この場合、始動口６を継続入賞口４０の上方側に配置しているが、開閉扉３２の球受け面４４に乗った球は、球受け面４４の誘導部４５によって中央に誘導され、継続入賞口４０に高い確率で入賞する。このため、特別遊技の継続は確実に行われるようになり、大当たりが簡単に終了することはない。
【０１３８】
また、いったん継続入賞口４０に入賞すると、継続阻止部材４２が前進して継続入賞口４０をふさぐが、その変位によって継続が可になったことを確認でき、遊技者に不安感を与えることはない。
【０１３９】
なお、誘導部４５に囲い壁４７を設けた場合、球受け面４４上に入賞途中の球が多数遊動すると共に、特に前出した継続阻止部材４２とで、開閉扉３２が閉じる際に多数の球が一度に入賞するのを楽しむことができる。
【０１４０】
そして、継続可であれば、次回の特別遊技が行われ、再び開閉扉３２が開かれる。このように特別遊技が規定回数繰り返し行われ、これにより十分な賞球が獲得され、遊技者は大きな満足感を得ることができる。
【０１４１】
この一方、始動口６の開閉翼３４ａ，３４ｂや大入賞口３１の開閉扉３２が、故障により開放したままの状態となったり、あるいは不正行為により開放されたりした場合、多数入賞してたくさんの賞球が排出されかねないが、このような異常があった場合、速やかに検知され、異常処理が行われる。
【０１４２】
始動口６のように開閉翼３４ａ，３４ｂが閉じているときでも通常の入賞口から入賞があるものは、入賞の有無によって異常を判断しにくいが、この場合開閉翼３４ａ，３４ｂが所定回数開放する間の入賞数の許容範囲を定め、入賞数が許容範囲からはずれたかどうかによって、開閉翼３４ａ，３４ｂの故障、不正作動等の異常を判定できる。
【０１４３】
始動口６の入賞数が多すぎるときは、開閉翼３４ａ，３４ｂが閉信号時にあっても開放したままの状態であり、これにより開閉翼３４ａ，３４ｂの異常が的確にわかる。
【０１４４】
なお、入賞数を学習して、その学習値を基に許容範囲を定めるようにすれば、より正確に判定できる。
【０１４５】
大入賞口３１の異常に対しては、開閉扉３２が閉状態にあるべきときに、大入賞口３１の入賞を検出することで、開閉扉３２の故障、不正作動等の異常を判定できる。
【０１４６】
この場合、大当たり時等、開放状態の開閉扉３２を閉じるときには、その閉動作中に入賞した球が閉後に検出されることになるが、開閉扉３２を閉じるときは、その閉信号の入力時から所定時間経過した後に、つまり閉動作中に入賞した球の検出を考慮したタイムラグ後に、入賞があれば異常判定を行うので、正確に判定できる。
【０１４７】
また、異常判定は、入賞が１つでもあれば、可能であるが、複数の入賞を待って異常を判定することで、判定をより正確に行うことができる。
【０１４８】
また、複数の入賞によって異常判定を行えば、開閉扉３２が閉じる際に球が挾まれ、これが所定時間の経過後に検出された場合にあっても、誤判定することはない。
【０１４９】
そして、異常があれば、打球の発射が禁止され、始動口６の開閉翼３４ａ，３４ｂ、大入賞口３１の開閉扉３２を閉制御して遊技が中断され、故障表示装置１６ａ，１６ｂや音声によって遊技者に異常が報知され、同時に遊技店の管理装置１６０に異常が報知される。
【０１５０】
このため、始動口６の開閉翼３４ａ，３４ｂや大入賞口３１の開閉扉３２が開放したままとなっても、入賞によって賞球が多数払い出されることが的確に回避され、遊技者ならびに遊技店側に直ちに異常状態が報知される。
【０１５１】
したがって、異常を速やかに発見でき、故障あるいは不正行為に素早く対応することが可能になり、これにより遊技機の信頼性が大幅に向上する。
【０１５２】
この場合、異常発生と同時に打球の発射が禁止され、遊技を中断させるので、入賞を防ぐことができ、賞球を最小限に抑えられると共に、特に不正行為に有効である。
【０１５３】
また、視覚的あるいは聴覚的な報知によって遊技者、遊技店側に異常を確実に知らせることが可能である。
【０１５４】
この視覚的報知は１６ａ，１６ｂの故障表示ランプによる報知の他に液晶表示器２１に異常の種別や対処方法のメッセージを表示させても良い。聴覚的報知は異常の種別毎の報知音を複数用意または音声合成によって異常の種別や対処方法を報知させても良い。
【図面の簡単な説明】
【図１】遊技盤の正面図である。
【図２】変動入賞装置の正面図である。
【図３】変動入賞装置の前方からの斜視図である。
【図４】変動入賞装置の後面図である。
【図５】変動入賞装置の後方からの斜視図である。
【図６】変動入賞装置の分解斜視図である。
【図７】変動入賞装置の基板部分の分解斜視図である。
【図８】変動入賞装置の基板裏側の枠部分の分解斜視図である。
【図９】変動入賞装置の開閉扉の球受け面の斜視図である。
【図１０】変動入賞装置の継続阻止部材の動作説明図である。
【図１１】同じく継続阻止部材の動作説明図である。
【図１２】変動入賞装置の開閉扉の動作説明図である。
【図１３】同じく開閉扉の動作説明図である。
【図１４】その開閉扉と操作アームの係合状態を示す詳細図である。
【図１５】スイッチの取付構造を示す前方からの斜視図である。
【図１６】同じくスイッチの取付構造を示す後方からの斜視図である。
【図１７】始動口開閉翼の動作説明図である。
【図１８】同じく始動口開閉翼の動作説明図である。
【図１９】保護カバー内の配線通路を示す断面図である。
【図２０】変動入賞装置の開閉扉の球受け面の他の構造例を示す斜視図である。
【図２１】同じく開閉扉の球受け面の他の構造例を示す斜視図である。
【図２２】制御系のブロック構成図である。
【図２３】制御内容を示すフローチャートである。
【図２４】制御内容を示すフローチャートである。
【図２５】制御内容を示すフローチャートである。
【図２６】制御内容を示すフローチャートである。
【図２７】制御内容を示すフローチャートである。
【図２８】制御内容を示すフローチャートである。
【図２９】制御内容を示すフローチャートである。
【図３０】制御内容を示すフローチャートである。
【図３１】制御内容を示すフローチャートである。
【図３２】制御内容を示すフローチャートである。
【図３３】ソレノイドの閉信号を示すタイミングチャートである。
【図３４】ソレノイドの閉信号を示すタイミングチャートである。
【図３５】変動入賞装置の開閉扉の動作説明図である。
【図３６】同じく動作説明図である。
【図３７】同じく動作説明図である。
【図３８】変動入賞装置の継続阻止部材の動作説明図である。
【符号の説明】
１  遊技盤
３  遊技部
４  可変表示装置
５  変動入賞装置
６  始動口
７ａ，７ｂ  始動口
８  始動スイッチ
９ａ，９ｂ  始動スイッチ
１６ａ，１６ｂ  大当たりならびに故障表示ランプ
２３  記憶表示器
３０  基板
３１  大入賞口
３２  開閉扉
３４ａ，３４ｂ  開閉翼
３６  ピン
３７  ストッパ
３８  ウェイト
３９  凹室
４０  継続入賞口
４１ａ，４１ｂ  一般入賞口
４２  継続阻止部材
４４  球受け面
４５  誘導部
４６  縁壁
４７  囲い壁
４８  三角突起
５０ａ，５０ｂ  通過口
５１ａ，５１ｂ  通過スイッチ
５６  可変表示器
５７  記憶表示器
６０  枠部材
６１  保護カバー
６２  組付枠
６３〜６５  ソレノイド
６６  案内樋
６９  駆動軸
７２  レバー
７３  ピン
７６  小孔
７８  スプリング
７９  レバー
８０  動作口
８１  段部
８２  境界壁
８３ａ，８３ｂ  一般入賞スイッチ
８４  ガイド受け
８５  継続入賞スイッチ
８６  ガイド受け
８７  配線基板
９０  継続表示ランプ
９１  ロッド
９３  操作アーム
９４  取付溝
９５  溝
９６  ロッド
９８  操作バー
９９  取付溝
１００  ロッド
１０１  操作アーム
１０２  フック
１０３〜１０５  リターンスプリング
１０６  導出樋
１０８  配線基板
１１０  案内路
１１１  カバー流路部
１１２  受け
１１３  配線通路
１１４  凹部
１１５  凸部
１１６  段部傾斜面
１１９  後部カバー
１２０  配線基板
１５０  制御装置
１６０  管理装置
【図１】
0003818838.tif 000002
【図２】
0003818838.tif 000003
【図３】
0003818838.tif 000004
【図４】
0003818838.tif 000005
【図５】
0003818838.tif 000006
【図６】
0003818838.tif 000007
【図７】
0003818838.tif 000008
【図８】
0003818838.tif 000009
【図９】
0003818838.tif 000010
【図１０】
0003818838.tif 000011
【図１１】
0003818838.tif 000012
【図１２】
0003818838.tif 000013
【図１３】
0003818838.tif 000014
【図１４】
0003818838.tif 000015
【図１５】
0003818838.tif 000016
【図１６】
0003818838.tif 000017
【図１７】
0003818838.tif 000018
【図１８】
0003818838.tif 000019
【図１９】
0003818838.tif 000020
【図２０】
0003818838.tif 000021
【図２１】
0003818838.tif 000022
【図２２】
0003818838.tif 000023
【図２３】
0003818838.tif 000024
【図２４】
0003818838.tif 000025
【図２５】
0003818838.tif 000026
【図２６】
0003818838.tif 000027
【図２７】
0003818838.tif 000028
【図２８】
0003818838.tif 000029
【図２９】
0003818838.tif 000030
【図３０】
0003818838.tif 000031
【図３１】
0003818838.tif 000032
【図３２】
0003818838.tif 000033
【図３３】
0003818838.tif 000034
【図３４】
0003818838.tif 000035
【図３５】
0003818838.tif 000036
【図３６】
0003818838.tif 000037
【図３７】
0003818838.tif 000038
【図３８】
0003818838.tif 000039